(57)【要約】      （修正有）【課題】従前より使用の衣類収納ケースに仕切り板を取り付け、収納ケースの整理整頓をしやすくする。【解決手段】従前より使用の衣類収納ケース１００に、衣類用仕切り板を吸盤４によって取り付ける。衣類用仕切り板の構成は、仕切り板１を支持する支持支柱３と、その支持支柱３を収納ケース１００に支持する吸盤４、それに主体の仕切り板１と収納ケース１００の横幅に合わせるための補助仕切り板２、それに主体の仕切り板１を任意の位置で固定するためのストッパー５から構成されている。【選択図】図８
0003130757.tif 000002
【実用新案登録請求の範囲】
【請求項１】
従前の衣類収納ケース１００の大きさ（奥行き、幅）に合わせられるように、仕切り板１の移動のための支持支柱３を伸縮可能にし、その支持支柱３の両端には吸盤４を取り付け、衣類収納ケース１００の前後の壁面に吸盤４によって支持支柱３を支持することを特徴とする、衣類収納ケース用の仕切り板。
【請求項２】
衣類収納ケース１００の幅に合わせるために、仕切り板１の上に、補助仕切り板２を嵌め込み、衣類収納ケース１００の幅に合わせてスライド可能とすることを特徴とする、請求項１の衣類収納ケース用の仕切り板。
【請求項３】
仕切り板１が勝手に移動しないように、仕切り板ストッパー５を取り付けることを特徴とする、請求項１及び請求項２の衣類収納ケース用の仕切り板。
【請求項４】
防湿、防臭剤を入れるスペースとして、仕切り板１を中空にし、その中空部に防虫剤や防臭剤を入れることを特徴とした、請求項１、請求項２及び請求項３の衣類収納ケース用の仕切り板。
【請求項５】
本考案の衣類収納ケース用の仕切り板は、箪笥の引き出しなどにも使用できることを特徴とする、請求項１、請求項２、請求項３及び請求項４の衣類収納ケース用の仕切り板。
【考案の詳細な説明】
【技術分野】
【０００１】  本考案は、衣類の収納ケース及びタンスなどの仕切り板に関する。
【背景技術】
【０００２】  従来、衣類用の収納ケースには、上部開口部に蓋体を着脱自在に設けたものや、引き出し式のものがある。いずれの収納ケースもその箱本体の内部に収納物を収納するようにしている。そしてその比較的大型な箱本体内に衣類などの収納物を収納すると共に、靴下や下着なども収納するため、衣類を探すときに煩雑であった。【０００３】  先行技術としては、上蓋式の収納ケースに小物入れを裁置したもの（特開平７−２７７３４０号公報）や仕切り板の上部に板腕部を設け、収納ケースの両側の外壁の上部に裁置したもの（特開平７−２７７３３９号公報）などがあった。【０００４】
【特許文献１】特開平７−２７７３４０号公報
【特許文献２】特開平７−２７７３３９号公報
【考案の開示】
【考案が解決しようとする課題】
【０００５】  上述したように、衣類用収納ケースには、概ね、上蓋式と引き出し式の２種類のタイプがある。いずれの衣類収納ケースも長方形でその深さ、奥行き、横幅はさまざまである。考案者は、衣替えの時期になるといつも季節モノの入れ替えを経験しているが、この衣類収納ボックスに仕切り板があったら便利だなーと考えていた。
仕切り板を取り付けることにより、箱内の整理をするときに整理がしやすいし、衣類を探すときも探しやすい。【０００６】  しかも、その仕切り板は、自由に移動が可能で、仕切り板の移動により、仕切り区画の大きさが自由に変更できる。
また、一般の家庭では、衣類収納ケースは、押入れなどに入れて使用するため、思わぬ湿気を呼ぶこともある。【０００７】  また、衣類収納ケースには、樟脳などの防虫剤を入れておくことが多い、しかし、その防虫剤が衣類の出し入れによって移動してしまっていることがあった。【０００８】  また、昨今の防虫剤は無臭性のものも販売されているので、防虫剤の臭いは少ないが、洗剤や柔軟材の臭いまた、カビ臭などが衣類に付着し残臭がある場合があった。【０００９】  上記のさまざまな問題点を下記に課題として箇条書きで列記する。
１．衣類収納ケースの中に仕切り板を設ける。しかもその仕切り板は、新しく装置された衣類収納ケースだけでなく、従前より使用していた衣類収納ケースにも使用できるもの。
２．仕切り板は、仕切り区画の容積を自由に変更できるように移動可能なものにする。
３．仕切り板は、適当な位置で、ストッパーがかかるようにする。
４．仕切り板は、衣類収納ケースの横幅にあわせるようにする。
５．湿気防止のための除湿剤や臭いを取る防臭剤などを入れるスペースを設ける。
上記の問題点を課題とする。
【考案を解決するための手段】
【００１０】  以下、上記課題を解決するため図面をもって説明する。
図１に示すように、本考案の衣類収納ケース用仕切り板２００を従前より使用の収納ケース１００に取り付けた平面図であるが、新しく仕切り板装着の衣類収納ケースの場合であれば、その衣類収納ケースの大きさに合わせた本考案の収納ボックス仕切れ板２００を製作装着すればいいのであるが、本考案の衣類収納ケース用仕切り板２００の特徴として、従前より使用の衣類収納ケース１００にも使用可能としたところにある。
その手段として、従前の衣類収納ケース１００の大きさ（奥行き、幅）に合わせられるように、仕切り板１の移動のための支持支柱３を伸縮できるようにし、両端には吸盤４を取り付け、衣料収納ケース１００の前後の壁面に吸盤４によって支持支柱３を支持することを特徴とする。
【００１１】  次に、前述したように、従前の衣類収納ケース１００の大きさ（奥行き、幅）に合わせられるように、従前の衣類収納ケース１００の幅に合わせるために、仕切り板１の上に、補助仕切り板２を嵌め込み、衣類収納ケース１００の幅に合わせてスライド可能とした。
【００１２】  また、図４は、仕切り板１の断面詳細図であるが、図４に示すように、仕切り板１が勝手に移動しないように、仕切り板ストッパー５を取り付けることを特徴とした。
【００１３】  さらに、防湿、防臭剤を入れるスペースとして、図４の断面図に示すように、仕切り板１を中空にし、その中空部に防虫剤や防臭剤を入れることを特徴とした。
【考案の効果】
【００１４】  本考案の収納ボックス仕切り板の使用効果については、言うまでもないが、その効果は、絶大なものがある。
まず、本考案の仕切り板１を従前の衣類収納ケース１００に取りつけることにより、衣類の収納の整理整頓、また、衣類収納ケース１００の１００％使用可能（従前は、空間が多かった）。
また、従前は、防虫剤などが衣類収納ケース１００の中で移動散乱していたが、本考案の仕切り板１を使用することにより、防虫剤などが散乱することなく、防虫剤の消化状態が一目瞭然で確認できる。
【考案を実施するための最良の形態】
【００１５】    以下、この考案につき図面を参照しつつ詳細に説明する。なお、この実施の形態によりこの考案が限定されるものではない。また、以下に示す実施の形態の構成要素には、当業者が置換可能かつ容易なもの、或いは実質的同一のものが含まれる。
【実施例１】  図１は、本考案の衣類収納ケース用仕切り板２００を従前の衣類収納ケース１００に吸盤４により取りつけた平面図であるが、図１の支持支柱３は、衣類収納ケース１００の大きさなどにより、長さが異なることが多いため、伸縮自在の使用とする。伸縮自在の方法としては、図７に示すように、中にコイルスプリングを入れてもいいが、最近市場に出回っている（ツッパリ棒）のように、ねじ式でもよい、その方法はこだわらない。また、材質については、樹脂またはアルミパイプなどが好ましい。
【実施例２】  図４は、仕切り板１の詳細断面図であるが、図に示すように、仕切り板１は、中空に合成樹脂などで成形加工が望ましい。また補助仕切り板２も同じく同材料で成形加工する、その場合、補助仕切り板２の内側寸法は、仕切り板１の上に載せスライド可能にするため、仕切り板１の開放部の外側寸法に嵌め込む寸法が望ましい。
【実施例３】  次に、仕切り板ストッパー５の実施方法であるが、図３，図４に示すように、材質は金属板または合成樹脂いずれでもいいが、ある程度弾力性に富んだ材質が好ましい。その材質の板の任意の位置で折り曲げ、図４に示すのように支持支柱３の外径合わせた孔６をあける。その仕切りストッパー５を図示するように仕切り板１に接着する。
【実施例４】本考案の衣類収納ケース用仕切り板２００は、衣類用の収納ケースだけでなく、寸法を変更して、箪笥の仕切板としても利用できる。その場合は、図１の支持支柱３を箪笥の引き出しに合わせて、長手方向に使用するとよい。【００１６】［本考案構成］
本考案の構成は、仕切り板１を支持する支持支柱３と、その支持支柱３を収納ケース１００に支持する吸盤４、それに主体の仕切り板１，と収納ボックス１００の横幅に合わせるための補助仕切り板２、それに主体の仕切り板１を任意の位置で固定するためのストッパー５から構成されている。【００１７】  本考案の仕切り板１、補助仕切り板２は、合成樹脂の成型加工が望ましい。
また、前述したように、支持支柱３および仕切り板ストッパー５の使用材料としては、樹脂に限ったものではなく、金属の使用も可能である。
［本考案の使用方法］【００１８】  本考案の収納ボックス用仕切り板２００の使用方法について説明する。
まず、セットになった収納ボックス用仕切り板２００の支持支柱３を手持ちの収納ボックスの中に入れ、その大きさに合わせて、支持支柱３を吸盤４によって収納ケース１００に支持する。【００１９】  そして、仕切り板１に付いているストッパー５を仕切り板１の方向に押さえ、仕切り板１を任意の位置に移動する。【００２０】  さらに、仕切り板１の中空部に、防虫剤または防湿剤などを入れて使用する。
【図面の簡単な説明】
【００２１】
【図１】本考案の衣類仕切り板を収納ケースに装置した平面図
【図２】本考案の衣類仕切り板を収納ケースに装置した立面図
【図３】本考案の衣類収納ケース用仕切り板の斜視図
【図４】本考案の衣類仕切り板の立面図
【図５】図３のＢ−Ｂ’断面図
【図６】図３のＡ−Ａ’断面図
【図７】支持支柱の詳細図
【図８】本考案の衣類収納ケース用仕切り板を従前の収納ケースに取り付けた斜視図
【符号の説明】
【００２２】１．仕切り板
２．補助仕切り板
３．仕切り板移動のための支持支柱
４．吸盤
５．仕切り板ストッパー
６．孔
７．スプリング
１００．収納ケース
２００．本考案の衣類収納ケース用仕切り板
【図１】
0003130757.tif 000003
【図２】
0003130757.tif 000004
【図３】
0003130757.tif 000005
【図４】
0003130757.tif 000006
【図５】
0003130757.tif 000007
【図６】
0003130757.tif 000008
【図７】
0003130757.tif 000009
【図８】
0003130757.tif 000010
【手続補正書】
【提出日】平成18年8月9日(2006.8.9)
【手続補正１】
【補正対象書類名】実用新案登録請求の範囲
【補正対象項目名】請求項５
【補正方法】削除
【補正の内容】
【手続補正書】
【提出日】平成18年10月12日(2006.10.12)
【手続補正１】
【補正対象書類名】実用新案登録請求の範囲
【補正対象項目名】全文
【補正方法】変更
【補正の内容】
【実用新案登録請求の範囲】
【請求項１】
従前の衣類収納ケース１００の大きさ（奥行き、幅）に合わせられるように、仕切り板１の移動のための支持支柱３を伸縮可能にし、その支持支柱３の両端には吸盤４を取り付け、衣類収納ケース１００の前後の壁面に吸盤４によって支持支柱３を支持することを特徴とする、衣類収納ケース用の仕切り板。
【請求項２】
衣類収納ケース１００の幅に合わせるために、仕切り板１の上に、補助仕切り板２を嵌め込み、衣類収納ケース１００の幅に合わせてスライド可能とすることを特徴とする、請求項１記載の衣類収納ケース用の仕切り板。
【請求項３】
仕切り板１が勝手に移動しないように、仕切り板ストッパー５を取り付けることを特徴とする、請求項１及び請求項２記載の衣類収納ケース用の仕切り板。
【請求項４】
防湿、防臭剤を入れるスペースとして、仕切り板１を中空にし、その中空部に防虫剤や防臭剤を入れることを特徴とした、請求項１〜３のいずれか一項に記載の衣類収納ケース用の仕切り板。
【手続補正書】
【提出日】平成18年12月22日(2006.12.22)
【手続補正１】
【補正対象書類名】実用新案登録請求の範囲
【補正対象項目名】全文
【補正方法】変更
【補正の内容】
【実用新案登録請求の範囲】
【請求項１】
衣類収納ケース１００の大きさに合わせられるように、仕切り板１の移動のための支持支柱３を伸縮可能にし、その支持支柱３の両端には吸盤４を取り付け、衣類収納ケース１００の前後の壁面に吸盤４によって支持支柱３を支持することを特徴とする、衣類収納ケース用の仕切り板。
【請求項２】
衣類収納ケース１００の幅に合わせるために、仕切り板１の上に、補助仕切り板２を嵌め込み、衣類収納ケース１００の幅に合わせてスライド可能とすることを特徴とする、請求項１記載の衣類収納ケース用の仕切り板。
【請求項３】
仕切り板１が勝手に移動しないように、仕切り板ストッパー５を取り付けることを特徴とする、請求項１または２記載の衣類収納ケース用の仕切り板。
【請求項４】
防湿、防臭剤を入れるスペースとして、仕切り板１を中空にし、その中空部に防虫剤や防臭剤を入れることを特徴とした、請求項１〜３のいずれか一項に記載の衣類収納ケース用の仕切り板。